(57)【特許請求の範囲】
【請求項１】
相対する一対の枠材を含む四角形のスクリーン枠と、該スクリーン枠に着脱可能に取り付けられた四角形のスクリーンとを有し、
上記スクリーン枠における上記一対の枠材の対面部にそれぞれ凹溝が形成され、該凹溝の内部に、上記枠材の長手方向に沿うスリットを備えたインナーレールがそれぞれ収容され、該インナーレールは、上記凹溝の内部を、一対のインナーレールの対向間隔が増減する方向に変位可能であり、
上記スクリーンの相対する一対の端部は、上記スリットを通じて上記インナーレールの内部に挿入され、該一対の端部に、上記スリットの内側でインナーレールに係合する係合部片がそれぞれ設けられ、上記スクリーンの他の相対する一対の端部には、上記スクリーン枠に係止及び離脱可能な操作用桟がそれぞれ取り付けられ、該操作用桟を上記スクリーン枠から離脱させた状態で、該操作用桟によって上記スクリーンを上記スリットに沿って摺動させることにより、該スクリーンを、上記操作用桟と共に、上記インナーレールの一端側又は他端側から上記スクリーン枠に取り付けたり該スクリーン枠から取り外したりすることができ、
上記一対の枠材のうち少なくとも一方の枠材は、上記一対のインナーレールの対向間隔を調整することによって上記スクリーンの緊張状態を調整する緊張機構を有し、
上記緊張機構は、上記インナーレールと固定関係にある調整部材と、該調整部材を上記対向間隔が増減する方向に変位させる操作子とを有し、該操作子で上記調整部材及びインナーレールを上記対向間隔が増大する方向に変位させると、該インナーレールがスクリーンの係合部片に係止することによって該スクリーンが緊張状態になり、上記操作子で上記調整部材及びインナーレールを上記対向間隔が減少する方向に変位させると、該インナーレールに対する上記係合部片の係止が解除されることにより、該スクリーンが弛緩状態になると同時に、該スクリーンが上記インナーレールに対して摺動可能な状態になるように構成されている、
ことを特徴とするスクリーン装置。
【請求項２】
上記一対の枠材の凹溝内に、支持部材が、上記一対のインナーレールの対向間隔が増減する方向に変位可能なるように収容され、該支持部材に、上記インナーレールが固定的に保持されると共に上記調整部材が取り付けられていることを特徴とする請求項１に記載のスクリーン装置。
【請求項３】
上記調整部材は、ネジ孔を有する雌ネジ部片により構成され、
上記操作子は、スクリーン枠の枠材に回転可能であるが軸線方向の移動は不能であるように保持されて、上記雌ネジ部片のネジ孔に螺挿された螺杆により構成されている、
ことを特徴とする請求項１または２に記載のスクリーン装置。
【請求項４】
上記調整部材は、上記インナーレールの長手方向に対して傾斜する緊張用のガイド面と弛緩用のガイド面とを有し、
上記操作子は、上記スクリーン枠の枠材に該枠材の長手方向に摺動自在なるように保持されていて、上記緊張用のガイド面に接触する緊張用の押圧面と、上記弛緩用のガイド面に接触する弛緩用の押圧面とを有し、
上記操作子を一方向に摺動させると、上記緊張用の押圧面が上記調整部材の緊張用のガイド面を押圧することにより、該調整部材を介して上記インナーレールが、上記一対のインナーレールの対向間隔が増大する方向に変位し、上記操作子を逆方向に摺動させると、上記弛緩用の押圧面が上記調整部材の弛緩用のガイド面を押圧することにより、該調整部材を介して上記インナーレールが、上記一対のインナーレールの対向間隔が減少する方向に変位するように構成されている、
ことを特徴とする請求項１または２に記載のスクリーン装置。
【発明の詳細な説明】
【技術分野】
【０００１】
本発明は、スクリーン枠に対してスクリーンを張設し、或いは張設したスクリーンをメンテナンス等のために取り外すに際し、それらの操作を容易にすると共に、張設したスクリーンを容易に緊張状態に保持できるようにしたスクリーン装置に関するものである。
【背景技術】
【０００２】
近年、高層マンション等に設置された網戸が落下するなどにより発生する事故を防止するため、該マンション等の網戸を建物開口部枠に固定したり、網戸そのものをサッシの室内側に設置したりするなど対応策が常態化しつつある。このような状況下では、網戸におけるネットの張り替えや洗浄を一般のユーザーに行わせるのは、上記事故の発生を十分に防止できるとは言えず、専門的な技術を有する作業者であっても安全性に疑問がある。
【０００３】
しかも、従来から一般的に行われている網戸枠へのネットの張り替えは、網戸枠を建物のサッシから取り外したうえで、既知の紐状のゴムや樹脂製の押し縁を網戸枠のネット固定溝に該ネットと共に押し込み、その際に、ネットに対し上記ネット固定溝と直交する方向の引張力が作用するので、該引張力によりネットがネット固定溝の方向に引っ張られ、その引張力が過大な場合にはネットにその過大な力を解消する滑りが生じるため、ネットに対し全体的に比較的均一な引張力が作用して、ピンと張った綺麗な仕上がりを得ることができるものである。
【０００４】
しかしながら、上述したように網戸枠がサッシ等に固定されている場合には、上記従来から行われているような手順でネットを張り替えようとしても、一般のユーザーにおいてはもちろん困難であり、専門的な技術を有する作業者であっても、網戸枠がサッシ等に固定されたものであることから、従来と同程度の緊張状態にネットを張設できるとは限らない。そのため、サッシ等に固定的に設けられている網戸枠に対してネットを容易に着脱可能にすると同時に、該網戸枠に取り付けたネットをピンと張った綺麗な仕上がりにするための機構を網戸枠自体に付設することが有効な対応策になる。
【０００５】
このような観点から、建物開口部において、網戸枠に防虫用等のスクリーンを、洗浄等のメンテナンスや交換等のために着脱可能にしたスクリーン装置は、既に特許文献１等において開示されている。該特許文献１に開示のスクリーン装置におけるスクリーンの取り付けは、窓用サッシの室内側に位置する左右一対の縦枠の対向部位に、該縦枠の長手方向に沿うスリットを設け、スクリーンの左右側端に沿って設けた係合部片を該スリットの内側に沿って上下摺動可能に係合させることによって行っている。そして、該スクリーンの上下端に着脱自在の保持部材を取り付け、それらを建物開口部の上下枠に着脱自在に保持させると共に、縦枠の摺動溝に沿って上下にガイド可能に構成している。
【０００６】
このような構成は、保持されたスクリーンを上記窓用サッシから容易に外部に引き出せる点で有利なものではあるが、スクリーンの側端を再度もとの縦枠のスリット内に戻したときに該スクリーンをピンと張った綺麗な仕上がりにできるとは限らない。綺麗な仕上がりを優先するならば、上記一対の縦枠のスリット間の距離及びスクリーンの左右側端に設けた係合部片間の距離を、予めスクリーンが適切な緊張状態になるように設定しておく必要があり、そのような高精度の加工を行っておくことも困難であるが、仮に、そのような加工を行ったとしても、その場合には、対向する縦枠のスリット間にスクリーンを装着し、或いは取り外すことが非常に困難になり、スクリーンの着脱の作業性に問題が生じることになる。
【０００７】
一方、特許文献２には、ネットを常に緊張状態に張設することができる防虫網戸について開示されている。その網戸は、網戸枠における縦枠が、内周側が開口する溝形の外框部材とその溝内に配設された内框部材とにより構成され、内框部材はその内側にネットの端部の係止部材が抜け止め状態に係止するスリットを備え、内框部材の張出部と外框部材の内向き壁との間に弾性部材を介設し、該弾性部材の付勢力によりネットが緊張状態に保持されるようにしたものである。
【０００８】
しかしながら、このようなネットを緊張状態に保持する弾性部材を備えた構成を、サッシ等に保持させるスクリーンを容易に挿脱すべきスクリーン装置に適用することは、上述したように、サッシ等の網戸枠にネットを挿脱可能にすることを困難にするものであり、結果的に、サッシ等に固定的に設けられている網戸枠に対してネットを容易に着脱可能にすると同時に、該網戸枠に取り付けたネットをピンと張った綺麗な仕上がりにするためには、それらに適した機構を網戸枠自体に付設すること考慮することが必須となる。
【先行技術文献】
【特許文献】
【０００９】
【特許文献１】特開２０１２−１７２５０４号公報
【特許文献２】実用新案登録第２５４７７０６号公報
【発明の概要】
【発明が解決しようとする課題】
【００１０】
本発明の第１の技術的課題は、四角形に枠組みされたスクリーン枠に対してスクリーンを張設し、或いは張設したスクリーンをメンテナンス等のために取り外すに際し、それらの操作を容易にすることにあり、第２の技術的課題は、スクリーンの張設後に該スクリーンを容易に緊張状態に保持できるようにしたスクリーン装置を提供することにある。
【課題を解決するための手段】
【００１１】
上記課題を解決するため、本発明によれば、相対する一対の枠材を含む四角形のスクリーン枠と、該スクリーン枠に着脱可能に取り付けられた四角形のスクリーンとを有し、上記スクリーン枠における上記一対の枠材の対面部にそれぞれ凹溝が形成され、該凹溝の内部に、上記枠材の長手方向に沿うスリットを備えたインナーレールがそれぞれ収容され、該インナーレールは、上記凹溝の内部を、一対のインナーレールの対向間隔が増減する方向に変位可能であり、上記スクリーンの相対する一対の端部は、上記スリットを通じて上記インナーレールの内部に挿入され、該一対の端部に、上記スリットの内側でインナーレールに係合する係合部片がそれぞれ設けられ、上記スクリーンの他の相対する一対の端部には、上記スクリーン枠に係止及び離脱可能な操作用桟がそれぞれ取り付けられ、該操作用桟を上記スクリーン枠から離脱させた状態で、該操作用桟によって上記スクリーンを上記スリットに沿って摺動させることにより、該スクリーンを、上記操作用桟と共に、上記インナーレールの一端側又は他端側から上記スクリーン枠に取り付けたり該スクリーン枠から取り外したりすることができ、上記一対の枠材のうち少なくとも一方の枠材は、上記一対のインナーレールの対向間隔を調整することによって上記スクリーンの緊張状態を調整する緊張機構を有し、上記緊張機構は、上記インナーレールと固定関係にある調整部材と、該調整部材を上記対向間隔が増減する方向に変位させる操作子とを有し、該操作子で上記調整部材及びインナーレールを上記対向間隔が増大する方向に変位させると、該インナーレールがスクリーンの係合部片に係止することによって該スクリーンが緊張状態になり、上記操作子で上記調整部材及びインナーレールを上記対向間隔が減少する方向に変位させると、該インナーレールに対する上記係合部片の係止が解除されることにより、該スクリーンが弛緩状態になると同時に、該スクリーンが上記インナーレールに対して摺動可能な状態になるように構成されていることを特徴とするスクリーン装置が提供される。
【００１２】
本発明に係るスクリーン装置の好ましい実施形態においては、上記一対の枠材の凹溝内に、支持部材が、上記一対のインナーレールの対向間隔が増減する方向に変位可能なるように収容され、該支持部材に、上記インナーレールが固定的に保持されると共に上記調整部材が取り付けられている。
【００１３】
本発明に係るスクリーン装置の他の好ましい実施形態においては、上記調整部材が、ネジ孔を有する雌ネジ部片により構成され、上記操作子は、スクリーン枠の枠材に回転可能であるが軸線方向の移動は不能であるように保持されて、上記雌ネジ部片のネジ孔に螺挿された螺杆により構成されている。
【００１４】
また、本発明に係るスクリーン装置の他の好ましい実施形態においては、上記調整部材が、上記インナーレールの長手方向に対して傾斜する緊張用のガイド面と弛緩用のガイド面とを有し、上記操作子は、上記スクリーン枠の枠材に該枠材の長手方向に摺動自在なるように保持されていて、上記緊張用のガイド面に接触する緊張用の押圧面と、上記弛緩用のガイド面に接触する弛緩用の押圧面とを有し、上記操作子を一方向に摺動させると、上記緊張用の押圧面が上記調整部材の緊張用のガイド面を押圧することにより、該調整部材を介して上記インナーレールが、上記一対のインナーレールの対向間隔が増大する方向に変位し、上記操作子を逆方向に摺動させると、上記弛緩用の押圧面が上記調整部材の弛緩用のガイド面を押圧することにより、該調整部材を介して上記インナーレールが、上記一対のインナーレールの対向間隔が減少する方向に変位するように構成されている。
【発明の効果】
【００１５】
以上に詳述した本発明のスクリーン装置によれば、四角形に枠組みされたスクリーン枠に対してスクリーンを張設し、或いは張設したスクリーンをメンテナンス等のために取り外すに際し、それらの操作を容易にし、また、張設後に該スクリーンを容易に緊張状態に保持できるようにしたスクリーン装置を提供することができる。
【図面の簡単な説明】
【００１６】
【図１】本発明に係るスクリーン装置の第１実施例におけるスクリーンの弛緩状態を示すもので、（ａ）は右半のみを断面によって示す正面図、（ｂ）は右半のみを横断面によって示す平面図である。
【図２】同実施例におけるスクリーンの緊張状態を示すもので、（ａ）は右半のみを断面によって示す部分正面図、（ｂ）は右半のみの部分平面図である。
【図３】同実施例の縦断面図である。
【図４】同実施例の外観斜視図である。
【図５】図４におけるスクリーンの一部を引き出した状態の斜視図である。
【図６】同実施例におけるスクリーンの緊張程度の調整部材及びその操作子の構成を分解して示す要部分解斜視図である。
【図７】（ａ）は上記調整部材の弛緩状態、（ｂ）はその緊張状態を示す動作説明図である。
【図８】本発明の第２実施例におけるスクリーンの緊張程度の調整部材及びその操作子の構成を分解して示す要部分解斜視図である。
【図９】（ａ）は図８の調整部材の弛緩状態を示す動作説明図、（ｂ）はその要部横断面図である。
【図１０】（ａ）は図８の調整部材の緊張状態を示す動作説明図、（ｂ）はその要部横断面図である。
【発明を実施するための形態】
【００１７】
図１〜図７は、本発明に係るスクリーン装置の第１実施例を示している。このスクリーン装置は、基本的には、四角形に枠組みされたスクリーン枠１に対してスクリーン４を張設し、或いは張設したスクリーン４をメンテナンス等のために該スクリーン枠１から取り外すに際し、それらの操作を容易にするだけでなく、張設後に該スクリーン４を容易に緊張状態に保持できるようにしたものであり、特に、高層のマンション等において、網戸を落下事故防止のために建物開口部枠に固定した場合などにおいて、網戸枠をサッシ等に固定したままでネットのみを取り外すことで、該ネットの張り替えや洗浄を容易且つ安全に行うために有効なものである。
【００１８】
上記スクリーン装置の構成について具体的に説明すると、スクリーン枠１は、防虫網等のスクリーン４を張設するために上下一対の枠材２，２及び左右各一対の枠材３，３を四角形に枠組みしたもので、一対の対向する左右の枠材３，３の内側の対面部に、それぞれ凹溝６を形成し、該凹溝６内に、該枠材３，３の長手方向に沿うスリット９を設けたインナーレール８を、該凹溝６内において出没方向の移動をガイドされた支持部材１０を介して収容している。なお、上記インナーレール８は、支持部材１０に固定し、或いはそれと一体化したものとして構成してもよい。また、上記一対の枠材３，３間に張設するスクリーン４には、その左右側端に沿って、上記スリット９の内側に沿って摺動自在に係合させる多数の係合部片１２を設け、これらの係合部片１２を上記インナーレール８のスリット９の内側に係合させることにより、左右の枠材３，３間にスクリーン４を保持させるように構成している。係合部片１２としては、ファスナーの半体を利用することができる。
【００１９】
一方、図３及び図５において明瞭に示すように、上記スクリーン４における上下の一対の対向辺には、それぞれ、上記スクリーン枠１に離脱可能に保持させた操作用桟１５を取り付けている。これらの操作用桟１５は、スクリーン枠１の上下の枠材２，２の表面の内側端に設けた凹所１８に嵌入する角筒状のスクリーン連結部１６と該連結部１６の外面から凹所１８外まで延びる操作部１７とを備えている。上記スクリーン連結部１６は、スクリーン４の端部に接する面にスリット１６ａを設けて、スクリーン４の上下端に取り付けた多数の係合部片４ａをその内側に係合させることにより、該スクリーン４を着脱可能にしたものであり、また、上記操作部１７は、凹所１８外まで延びて操作用桟１５の凹所１８への着脱操作を容易にすると同時に、それ自体の弾性変形により外面に設けた突条１７ａを凹所１８内の係合溝１８ａに係合させ、操作用桟１５を凹所１８に着脱自在に嵌入係止させ得るものである。
【００２０】
上記スクリーン枠１に対するスクリーン４の組み付けは、該スクリーン枠１の左右の枠材３，３内に挿入しているインナーレール８のスリット９の内側に、一対のインナーレール８の一端側からスクリーン４の係合部片１２を挿入して、インナーレール８の全長にわたり該スクリーン４を張設し、スクリーン４に上下方向の弛みがない状態において、スクリーン４の上下の対向辺に設けた一対の操作用桟１５を、スクリーン枠１の表面の凹所１８に嵌入係止させることにより行うものである。
【００２１】
以下において詳述するように、上記スクリーン４を上記インナーレール８のスリット９間に張設する段階においては、インナーレール８に対する係合部片１２の摺動が円滑であることが必要であり、そのため、スクリーン枠１の左右の枠材３，３内の一対のインナーレール８は、スクリーン４に緊張を与えない間隔が保持されるように、枠材３，３の内側の凹溝６の口部側に位置するようにしておく必要がある（図１参照）。
【００２２】
また、上記操作用桟１５を両端に取り付けたスクリーン４を左右の枠材３，３間から円滑に取り外すためには、上記操作用桟１５の長さを、スクリーン枠１におけるインナーレール８を内部に収容した一対の対向する枠材３，３間の内法よりも短いものとしておけばよく、図５から分かるように、一方の操作用桟１５を凹所１８から取り出してそれに連結されているスクリーン４を引き出す際に、そのスクリーン４に随伴する他方の操作用桟１５が、スクリーン枠１の枠材２における凹所１８から脱出することなく、左右の枠材３，３間を移動することになる。該スクリーン４をスリット９に沿ってスクリーン枠１に導入する場合には、スクリーン４を上記とは逆の方向に移動させればよい。
【００２３】
図３〜図５を参照して上述したところから明らかなように、スクリーン４の上下端に取り付ける上記操作用桟１５は、それぞれ断面形状が同じものを使用し、それをスクリーン４の上下に対称状に配置することができ、そのため、スクリーン枠１の上下の枠材２における凹所１８の形状も対称状に設け、結果的に、スクリーン４を張設したスクリーン枠１は、それを設置する建物開口部のサッシ等の形態に適合させるために下部の枠材２に付設する転輪１９ａと、上部の枠材２に付設するガイド部材１９ｂとを除いて、上下対称状に形成することができる。上記対称形状は、上下の操作用桟１５の選択によりスクリーンをスクリーン枠１の上下いずれの方向にも引き出すことを可能にし、スクリーンの張設或いはメンテナンス等のための取り外しの操作を容易にするものであり、特に、スクリーン４の取り外しを行う際に、このスクリーン枠の設置位置やその周囲の環境等に応じて、該スクリーン枠１からのスクリーン４の導出方向を自由に選択できるようにした構成は、作業の安全性を確保するために非常に有効なものである。
【００２４】
次に、上記スクリーン枠１における左右の枠材３，３内のスリット９間にスクリーン４を張設し、該スクリーン４に上下方向の弛みがない状態で、スクリーン４の上下に設けた一対の操作用桟１５をスクリーン枠１の表面の凹所１８に嵌入係止させた後に、上記スクリーン枠１内に張設されたスクリーン４をピンと張った綺麗な仕上がりにするための緊張機構について説明する。
【００２５】
上述の本発明に係るスクリーン装置の第１実施例における上記緊張機構の詳細は、図１、図２、図６及び図７に示している。この緊張機構は、基本的には、上記枠材３の凹溝６内に収容したインナーレール８を該凹溝６内において出没方向に移動させて、スクリーン４の緊張程度を調整する調整部材２０を備えると共に、それらを操作する操作子２５を枠材３の外面から容易に操作可能に設けたものである。
【００２６】
第１実施例の緊張機構について更に具体的に説明すると、上記一対の枠材３，３に設ける調整部材２０は、図６及び図７に示すように、上記枠材３の凹溝６内においてインナーレール８を保持する支持部材１０に雌ネジ部片２１を取付ネジ２３で固定することにより構成し、該調整部材２０を操作する操作子２５は、上記雌ネジ部片２１のネジ孔２２に螺挿されている螺杆２６により構成している。該螺杆２６は、スクリーン枠１の枠材３に対してドライバー等の工具２９により回転は可能であるが、軸線方向移動を制限するカバー２７等の付設で該移動が不能に保持されたものである。
【００２７】
従って、図７の（ａ）に矢印Ａで示す方向にドライバー２９で螺杆２６を回転させると、雌ネジ部片２１が矢印ａ方向に移動し、結果的に、インナーレール８が同矢印ａ方向に移動してスクリーン４を弛緩させる位置をとり、逆に、同図（ｂ）に矢印Ｂで示す方向にドライバー２９で螺杆２６を回転させると、雌ネジ部片２１が矢印ｂ方向に移動し、結果的に、インナーレール８が同矢印ｂ方向に移動してスクリーン４を緊張させる位置をとるようになる。
【００２８】
かかる構成の緊張機構によれば、スクリーン枠１からスクリーン４を取り外し、或いは、スクリーン枠１にスクリーン４を取り付ける際には、図７の（ａ）に示す操作でスクリーン４を弛緩させる位置に調整し、スクリーン４をスクリーン枠１に装着した後に、スクリーン４の緊張程度を確かめながら、図７の（ｂ）に示す操作で該スクリーンを適度に緊張させる位置に調整すればよく、これらの操作は、操作子２５である螺杆２６を枠材３の外面から操作可能に設けているので、操作が非常に容易であって、操作の安全性を容易に確保することができる。
【００２９】
なお、図示の例では、枠材３の凹溝６内において、インナーレール８を支持する支持部材１０に雌ネジ部片２１を付設しているが、インナーレール８と支持部材１０を一体のものとして、操作子２５の操作でそれに湾曲等の変形が生じないように構成できれば、その一体化したインナーレール８に上記雌ネジ部片２１をも一体化したものとして構成することができる。また、図示の実施例では、上記緊張機構をスクリーン枠１の左右の枠材３にそれぞれ設けているが、操作の安全性を高めるためには、左右の一方のみの枠材３に設けることができる。
【００３０】
図８〜図１０は、本発明の第２実施例に係る上記緊張機構を示している。この実施例において一対の枠材３，３に設ける調整部材２０は、図８の要部分解斜視図に明瞭に示すように、上記枠材３の凹溝６内のインナーレール８を支持する支持部材１０と一体化された被駆動部材３１により構成され、また、該調整部材２０を操作する操作子２５は、スクリーン枠１の枠材３に対しその長手方向にのみ摺動自在に保持されて、その移動により枠材３の凹溝６内におけるインナーレール８の保持位置の深さを変動させる摺動子３５により構成されている。
【００３１】
更に具体的に説明すると、前記調整部材２０を形成する被駆動部材３１は、上記支持部材１０の側部の一部を切り欠いて形成した切欠き部１０ａにおいて該支持部材１０に跨乗させ、両側に垂下させた両側壁に、枠材３の長手方向に次第に凹溝６内での深さを変える傾斜溝３４を備えることにより、その傾斜溝３４の両側に、ガイド面３２ａを持つ弛緩用ガイド壁３２、及びガイド面３３ａを持つ緊張用ガイド壁３３を形成したものである。
【００３２】
一方、前記操作子２５を形成する摺動子３５は、図１０の（ａ）から分かるように、枠材３内に設けたガイド面３ａ上を摺動面３５ａが摺動するようにして、枠材３に対しその長手方向にのみ摺動自在に保持され、上記被駆動部材３１における側壁の傾斜溝３４内に出入りするように傾斜した接触部片３６を備えている。該接触部片３６は、上記被駆動部材３１のガイド面３２ａに対面する側に弛緩用の押圧面３７、反対側のガイド面３３ａに対面する緊張用の押圧面３８を有するものであり、これらの接触により、後述のように、凹溝６内におけるインナーレール８の位置を変動させるようにしている。なお、被駆動部材３１におけるガイド面３２ａと摺動子３５における押圧面３７には、それぞれ微小段状の凹凸を設けると共に、接触部片３６における押圧面３７側には、ガイド面３２ａとの緩衝的な接触のための切り溝３９を設けている。
【００３３】
上記構成を有する第２実施例の緊張機構は、図９に示すように、摺動子３５を矢印Ｃ側に摺動させると、接触部片３６の押圧面３７が被駆動部材３１のガイド面３２ａを押圧してインナーレール８を矢印ｃ側に押圧するので、インナーレール８間に張設したスクリーン４が弛緩し、一方、図１０に示すように、摺動子３５を矢印Ｄ側に摺動させると、接触部片３６の押圧面３８が被駆動部材３１のガイド面３３ａを押圧してインナーレール８を矢印ｄ側に押圧するので、インナーレール８間において弛緩していたスクリーン４が緊張することになる。
なお、この第２実施例においても、上記緊張機構をスクリーン枠１の左右の枠材３の一方のみに設けることができる。
【符号の説明】
【００３４】
１    スクリーン枠
２，３    枠材
４    スクリーン
６    凹溝
８    インナーレール
９    スリット
１２    係合部片
１５    操作用桟
２０    調整部材
２５    操作子
【図１】
0006574348.tif 000002
【図２】
0006574348.tif 000003
【図３】
0006574348.tif 000004
【図４】
0006574348.tif 000005
【図５】
0006574348.tif 000006
【図６】
0006574348.tif 000007
【図７】
0006574348.tif 000008
【図８】
0006574348.tif 000009
【図９】
0006574348.tif 000010
【図１０】
0006574348.tif 000011